(57)【要約】【課題】    従来のコーキングガンには無かったカートリッジ脱落防止機能を備え、更に、小型、軽量化を図り充填剤の正確な押し出し及び配分を困難なく行うことができるコーキングガン及びそのカートリッジを提供する。【解決手段】    シーリング剤やコーキング剤の充填剤が入ったカートリッジを装填しハンドルに備えたレバーを操作して、ピストンロッド先端に備えたピストンがカートリッジ後端を押圧し、その先端ノズルより充填剤を押し出し、ピストンとホルダー後端部の間に位置するピストンロッドに着脱自在なばねを嵌入することにより、カートリッジ脱落防止機能を有し、ホルダーの長手方向及びピストンロッドを従来コーキングガンより短縮してあり、更に、短縮したコーキングガンに好適な長さのカートリッジであることを特徴としている。【選択図】図１
2011245464.tif 000002
【特許請求の範囲】
【請求項１】
シーリング剤やコーキング剤の充填剤が入ったカートリッジをホルダーに装填し、ハンドルに備えたレバーを操作してピストンロッド先端に備えたピストンがカートリッジ後端を押圧し、その先端ノズルより充填剤を押し出すコーキングガンであって、ピストンとホルダー後端部の間に位置するピストンロッドにばねを設けたことを特徴とするコーキングガン。
【請求項２】
請求項１において、ホルダーにホルダー前端部とホルダー後端部を含めた長さが６０〜１８０ｍｍであり、この６０〜１８０ｍｍに対応してピストンロッドの長さはコーキングガンの機能を果たす必要にして最低限の長さとすることを特徴とするコーキングガン。
【請求項３】
請求項１または２において、ばねの着脱が自在なコーキングガン。
【請求項４】
請求項２記載のコーキングガンにおけるホルダーに装填可能な長さを有することを特徴とするカートリッジ。
【発明の詳細な説明】
【技術分野】
【０００１】  この発明は、シーリング剤やコーキング剤を充填する際に使用できるコーキングガン及びそのカートリッジに関するものである。
【背景技術】
【０００２】  従来、シーリング剤やコーキング剤を充填する際に使用するコーキングガンは、普及している充填剤の入った円筒状のカートリッジ（例えば突起物を除く胴体部の長さ２１５ｍｍ、重量３９０ｇ、内容量３３０ｍｌ。）を装填する際に普及タイプのカートリッジの脱落を防止する機能は無かった。また、従来コーキングガンは、普及タイプのカートリッジを装填することを前提として設計されているため、大きさが画一的であった（例えば特許文献１及び２参照。）。
【先行技術文献】
【特許文献】
【０００３】
【特許文献１】実公昭４６−０３１０１３号  公報
【特許文献２】実公昭５８−０００７４５号  公報
【発明の概要】
【発明が解決しようとする課題】
【０００４】  従来のコーキングガンは、普及タイプのカートリッジを装填した際、カートリッジの一方がホルダー前端部と、他方がピストンに密着した状態での全長が約５６０ｍｍ、ホルダーにホルダー前端部とホルダー後端部を含めた長さが約２７０ｍｍ、ピストンロッド長が約３５０ｍｍで、全重量が約８２０ｇ、従来コーキングガン単体での重量が約４３０ｇであり、次のような問題があった。普及タイプのカートリッジ装填は、ホルダー前端部に普及タイプのカートリッジ前方を密着させ、且つピストンを普及タイプのカートリッジ後端に密着させて装填完了となるが、ピストンを密着させる操作が必要であり、その動作途中に不安定な体勢などの際、普及タイプのカートリッジが脱落する恐れがあり、作業者の負担になっている。【０００５】  また、普及タイプのカートリッジを装填することが前提として設計されているため、全体サイズが大きく、重いことである。故に、狭い空間での取り回しに困ることがあった。充填位置に的確に当てがい辛く、押し出し配分も困難であった。また、他方の手でコーキングガン先端を支持しなければズレる等の不利がある。長時間のレバー操作は継続して力が必要となり、手がだるくなる等、作業性が悪い。本発明は以上のような問題を無くすためになされたものである。
【課題を解決するための手段】
【０００６】  本発明は、シーリング剤やコーキング剤の充填剤が入ったカートリッジを装填し、レバーを操作してピストンロッドを前方へ移動させ、ピストンロッド先端に備えたピストンがカートリッジ後端を押圧してその先端ノズルから充填剤を押し出すコーキングガンであって、ピストンとホルダー後端部の間に位置するピストンロッドにばねを嵌入してあるコーキングガンであり、カートリッジを装填した際、ばねの力が加わったピストンにカートリッジ後端を押す力が働き、カートリッジ一方がホルダー前端部と、他方がピストンに密着し装填完了となりカートリッジが脱落しない状態となる。従来おこなっていたピストンをカートリッジ後端に密着させる操作を省け作業者の負担軽減になるカートリッジ脱落防止機能を備えたコーキングガンである。【０００７】  ホルダーの長手方向を短縮し更に、これに対応してピストンロッドの長さを短縮したことにより、従来コーキングガンより軽く、全長が短いコーキングガンである。【０００８】  また、本発明は、上記ばねがピストンロッド先端に備えたピストンを取り外すことで着脱が自在にでき、脱落防止機能が必要ない場合は、最初からばねを外した状態で使用することもできる、上記ばねが着脱自在なコーキングガンであることを好ましい態様として包含する。【０００９】  更に、本発明は、前記短縮したコーキングガンに好適な長さのカートリッジである。
【発明の効果】
【００１０】  本発明のコーキングガン及びカートリッジによれば、上記問題を解決し、ばねによるカートリッジ脱落防止機能により、カートリッジ後端にピストンを密着させる操作を省け、作業者の負担軽減になる。【００１１】  また、本発明は、ホルダーの長手方向及びピストンロッドを短縮したことに合わせ、普及タイプのカートリッジをコーキングガンに装填可能なサイズに改良することで全体の容量が小さく軽くでき、充填剤の正確な押し出し及び配分を困難なくおこなうことができる。また、従来コーキングガンに比べ少ない力でレバー操作ができるようになり、狭い空間での取り回しにも困らなくなる。【００１２】  更に、本発明は、コーキングガンのばねを着脱自在にすることにより、脱落防止機能が必要ない場合は、最初からばねを外した状態で使用できるようにすることもできるという効果を発揮する。
【図面の簡単な説明】
【００１３】
【図１】  本発明のコーキングガンの側面概略図である。
【図２】  本発明のコーキングガン外観斜視図である。
【発明を実施するための形態】
【００１４】  本発明のコーキングガンについて図を元に具体的に説明する。本発明のコーキングガンは、普及タイプのカートリッジを改良して用いるか新たに製造して用いることができる。図において１はシーリング剤やコーキング剤の充填剤を収納し先端にノズル２を備えるカートリッジ、３はカートリッジ１を装填するホルダーであり、ホルダー３の前方にはホルダー前端部４を備え、後方にはホルダー後端部５を備えている。ハンドル６に備えたレバー７の引き込み動作に連動してピストンロッド８の先端に備えたピストン９が、カートリッジ後端１１を押圧しノズル２より充填剤を押し出すようになっている。
【００１５】  ばね１０は、ピストン９とホルダー後端部５の間に位置するピストンロッド８に嵌入され、カートリッジ１をホルダー３に装填した際、ばね１０の力が加わったピストン９にカートリッジ後端１１を押す力が働き、カートリッジ１の一方がホルダー前端部４と、他方がピストン９に密着しカートリッジ１が脱落しない状態となる。ばね１０には、圧縮コイルばね、引張コイルばね、ねじりコイルばね、板ばね等、また、これら以外の特殊なばね（例えば竹の子ばね等。）を用いることができる。
【００１６】  これらの中でも圧縮コイルばねが最も好ましく、カートリッジ１の重量に対し、ピストン９がカートリッジ１を押す力、即ちカートリッジ１と同等の圧縮コイルばねの初期荷重が好適に発揮し易く、また、圧縮コイルばねの単純な構造により質量を抑え、コーキングガン全体の重量増を抑えられカートリッジ１の装填及び取り外しの際は作業者が負担なくおこなうことができることが判った。
【００１７】  ホルダー３にホルダー前端部４とホルダー後端部５を含めた長さは、８０〜１６０ｍｍ程度へ短縮するのが好ましく、より好ましくは１００〜１４０ｍｍ、更に好ましくは１１０〜１３０ｍｍへ短縮する。これに対応してピストンロッド８の長さは１５５〜２３５ｍｍ程度に短縮するのが好ましく、より好ましくは１７５〜２１５ｍｍ、更に好ましくは１８５〜２０５ｍｍであり、コーキングガンの機能を果たす必要にして最低限の長さになる。これによりコーキングガンの重量を減らすことができ、約３１０〜３５０ｇになる。
【００１８】  上記ホルダー３にホルダー前端部４とホルダー後端部５を含めた長さで最も好ましくは１２０ｍｍである。これは従来コーキングガンのホルダーにホルダー前端部とホルダー後端部を含めた長さとの比較で約４５％の長さになる。また、ピストンロッド８の長さは最も好ましくは１９５ｍｍであり、コーキングガンの機能を果たす必要にして最低限の長さになる。この時のコーキングガンの重量は、約３４０ｇになる。
【００１９】  カートリッジ１は、普及タイプのカートリッジの長さのみを改良し、突起物を除く胴体部の長さを５５〜１２５ｍｍ程度とするが、より好ましくは７５〜１１５ｍｍ、更に好ましくは８５〜１０５ｍｍへ改良する。ホルダー３にカートリッジ１の装填を不都合無く且つ素早くおこなえる寸法である。これにより重量は大幅に減らすことができ、約９０〜２２０ｇになる。また、カートリッジ１は、これらの寸法に新たに製造することもできる。
【００２０】  長さのみを改良したカートリッジ１は、突起物を除く胴体部の長さが最も好ましくは９５ｍｍとなる。これは普及タイプのカートリッジの突起物を除いた胴体部の長さが約２１５ｍｍであるが、その約４５％へ短縮したものとなり重量は約１５０ｇである。
【００２１】  従来コーキングガンに普及タイプのカートリッジを装填した重量は約８２０ｇになるが、本発明のコーキングガンにカートリッジ１を装填した際の最も好ましい数値での重量は約４９０ｇになる。狭い空間での取り回しや充填の際の持ち手のバランス、的確な位置への充填、均等な配分の充填、片手での充填、長時間作業の際等、これらの、最も好ましいとする数値が従来コーキングガンに普及タイプのカートリッジを装填して使用した時と比べ作業効率が著しく向上できることが判った。
【００２２】  ばね１０の着脱は、例えばナット構造、ネジ構造等により、ピストンロッド８先端にピストン９を取り付けることにより、ピストン９をピストンロッド８から取り外すことで自在にできる。これにより脱落防止機能が不必要な場合、最初からばねを外した状態で使用することができるコーキングガンとすることができる。
【００２３】  ばね１０をピストンロッド８の先端部にオスネジ構造を設け、これにピストン９を嵌めた後、ナットを取り付けることで、着脱が自在にできるようにした。こうすることで脱落防止効果が不必要な場合は、ばね１０を取り外すことが可能となり、ばね１０を取り付けた状態、または、ばね１０を取り付けない状態で使用することができるようになる。
【符号の説明】
【００２４】１    カートリッジ
２    ノズル
３    ホルダー
４    ホルダー前端部
５    ホルダー後端部
６    ハンドル
７    レバー
８    ピストンロッド
９    ピストン
１０  ばね
１１  カートリッジ後端
【図１】
2011245464.tif 000003
【図２】
2011245464.tif 000004